(57)【要約】  錠剤分配機は、下部ハウジング（１２）と、トリガー機構の少なくとも一部分をカバーする、弾性物質のカバー（１６）を有する上部ハウジング（１４）とを有する。分配機構（１２０）は、バネ要素（１３０）及び分配区域（１２４）に旋回可能に設けられたレバー機構（１４２）を有する。下部ハウジング（１２）の内部は、下部ハウジング（１２）の前壁（１０３）からレバー機構（１４２）の上伸張脚部（１４５）に向かって戻るように伸張する、プッシャーバー（１４９）を具備する。
2007511425.tif 000002
【特許請求の範囲】
【請求項１】
個別の固体対象物を分配するための錠剤分配機であって、
下部ハウジングと、
トリガー機構の少なくとも一部分をカバーする、弾性物質のカバーを有する上部ハウジングと、
前記下部ハウジングの少なくとも一部分の弾性物質のカバーと、
前記ハウジング内に適合する寸法で形成される、分配機構と、
を具備する、分配機において、
前記分配機構は、容器領域と、分配区域とを有しており、前記分配機構は、前記分配区域に旋回可能に設けられたレバー機構及びバネ要素を有しており、
前記下部ハウジングの内部は、前記下部ハウジングの前壁から前記レバー機構の上伸張脚部に向かって戻るように伸張する、プッシャーバーを具備しており、
前記プッシャーバー、前記上伸張脚部及びフック要素は、前記プッシャーバーが前記上伸張脚部に当接しないで且つ前記上伸張脚部が前記下部ハウジングの前壁に設置される開口から後ろへ戻されて配置されていて且つ前記レバー機構のフック要素が、前記分配機構が休止状態の時に、前記分配区域に伸張して、錠剤が前記開口を介して分配されることを阻止するように、形成されるが、しかし
同時に、十分な力が前記弾性物質のカバーに適用されると、前記分配機構は、前記下部ハウジングの前記前壁に向かって前進し、前記レバー機構の前記上伸張脚部が前記プッシュバーに接触して、前記上伸張脚部は、前記分配機構が移動している方向と反対の方向において旋回するため、前記レバー機構の前記フック要素は、前記上伸張脚部の反対方向に旋回するので、従って前記錠剤が前記分配機構の開口を通り通過することを妨げる障害を取り除く、ことを特徴とする錠剤分配機。
【請求項２】
リップシールが、前記下部ハウジングの前記開口をカバーしており、前記リップシールは、前記上伸張脚部が前記リップシールのスリットを開いて、錠剤がそこを通り通過することを可能にするように形成されており、
前記リップシールは、実質的に湿気密閉性の容器を形成することを特徴とする請求項１に記載の錠剤分配機。
【請求項３】
前記弾性物質のカバーは、前記上部ハウジングの開口に伸張する、ボタンを具備しており、前記ボタン及び前記開口は、先端と締りばめを形成するので、力が前記弾性物質のカバーから除去されると、前記カバーは、その当初の形状に戻り、前記分配機構を前記ハウジング内のその当初の位置に引き戻すことを特徴とする請求項１に記載の錠剤分配機。
【請求項４】
前記シールは、実質的に湿気密閉性シールを形成するように重ね成形されて、前記ハウジング内への湿気の浸入を防止することを特徴とする請求項２に記載の錠剤分配機。
【請求項５】
個別の固体対象物を分配するための錠剤分配機であって、
下部ハウジングと、
トリガー機構を有する上部ハウジングと、
前記ハウジング内に適合する寸法で形成される、分配機構と、
を具備する、分配機において、
前記分配機構は、容器領域と、分配区域とを有しており、前記分配機構は、前記分配区域に旋回可能に設けられたレバー機構及びバネ要素を有しており、
前記下部ハウジングの内部は、前記下部ハウジングの前壁から前記レバー機構の上伸張脚部に向かって戻るように伸張する、プッシャーバーを具備しており、
前記プッシャーバー、前記上伸張脚部及びフック要素は、前記プッシャーバーが前記上伸張脚部に当接しないで且つ前記上伸張脚部が前記下部ハウジングの前壁に設置される開口から後ろへ戻されて配置されていて且つ前記レバー機構のフック要素が、前記分配機構が休止状態の時に、前記分配区域に伸張して、錠剤が前記開口を介して分配されることを阻止するように、形成されるが、しかし
同時に、十分な力が前記トリガー機構に適用されると、前記分配機構は、前記下部ハウジングの前記前壁に向かって前進し、前記レバー機構の前記上伸張脚部が前記プッシュバーに接触して、前記上伸張脚部は、前記分配機構が移動している方向と反対の方向において旋回するため、前記レバー機構の前記フック要素は、前記上伸張脚部の反対方向に旋回するので、従って前記錠剤が前記分配機構の開口を通り通過することを妨げる障害を取り除く、ことを特徴とする錠剤分配機。
【請求項６】
個別の固体対象物を分配機から分配するための方法において、この方法は、
分配機構が休止の時に、分配機構を使用するにより、錠剤が開口を通り分配されることを阻止する阻止手順であって、前記分配機構は、容器領域と、分配区域とを有しており、前記分配機構は、前記分配区域に旋回可能に設けられるレバー機構を有しており、前記下部ハウジングの内部は、前記下部ハウジングの前壁から前記レバー機構の上伸張脚部に向かって戻るように伸張する、プッシャーバーを具備しており、前記プッシャーバー、前記上伸張脚部及びフック要素は、前記プッシャーバーが前記上伸張脚部に当接しないで且つ前記上伸張脚部が前記下部ハウジングの前壁に設置される開口から後ろへ戻されて配置されていて且つ前記レバー機構のフック要素が前記分配区域に伸張するように、形成される、阻止手順と、更に
十分な力をトリガー機構に適用する適用手順であって、前記トリガー機構が前記分配機構に接触し、前記分配機構が前記下部ハウジングの前記前壁に向かって前進して、前記レバー機構の前記上伸張脚部が前記プッシュバーに接触し、前記上伸張脚部は、前記分配機構が移動している方向と反対の方向に旋回するため、前記レバー機構の前記フック要素は、前記上伸張脚部の反対方向に旋回し、その結果、前記錠剤が前記分配機構の開口を通り通過することを可能にする、適用手順と、
を具備することを特徴とする方法。
【請求項７】
個別の固体対象物を分配するための錠剤分配機であって、
ハウジングと、
前記ハウジング内に適合する寸法で形成される、分配機構と、
を具備する、分配機において、
前記分配機構は、容器領域と、分配区域とを有しており、前記分配機構は、前記分配区域に旋回可能に設けられた二重式レバー機構及びバネ要素を有しており、
前記下部ハウジングの内部は、前記ハウジングの前壁から前記二重式レバー機構の第１のレバー機構の上伸張脚部に向かって戻るように伸張する、プッシャーバーを具備しており、
前記プッシャーバー、前記上伸張脚部及び第１のフック要素は、前記プッシャーバーが前記上伸張脚部に当接しないで且つ前記上伸張脚部が前記ハウジングの前壁に設置される開口から後へ戻されて配置されていて且つ前記第１のレバー機構の第１のフック要素が前記分配区域に伸張して錠剤が前記開口を介して分配されることを阻止するように、形成されており、更に
第２のレバー機構は、前記ハウジングの側壁から前記第２のレバー機構の第２のフック要素の第１の側部に向かって伸張する、傾斜壁を具備しており、前記傾斜壁及び前記第２のフック要素の前記第１の側部は、前記傾斜壁が前記第２のフック要素の前記第１の側部に丁度接触していて且つ前記レバー機構の前記第２のフック要素の第２の側部が、前記分配機構が休止状態の時に、前記分配区域に伸張して、第２の錠剤が前記開口を介して分配されることを阻止するように、形成されるが、しかし
同時に、十分な力が前記ハウジングの頂部に適用されると、前記分配機構は、前記ハウジングの前記前壁に向かって前進して、前記二重式レバー機構の前記上伸張脚部は、前記プッシュバーに接触して、前記上伸張脚部は、前記分配機構が移動している方向と反対の方向に旋回するため、前記第１のレバー機構のフック要素は、前記上伸張脚部と反対の方向で旋回するので、前記錠剤が前記分配機構の開口を通り通過することを妨げる障害を取り除いており、
その一方で、前記分配機が前進するのと同時に、前記第２のフック要素の前記第１の側部は前記傾斜壁に連続的に接触して、前記第２のフック要素の前記第１の側部は、内側に動き、前記第２のレバー機構の前記第２のフック要素の前記第２の側部をやはり内側に旋回させるので、第２の錠剤が前記分配区域に移動することを阻止する、
ことを特徴とする錠剤分配機。
【請求項８】
個別の固体対象物を分配機から分配するための方法において、この方法は、
分配機構が休止の時に、分配機構を使用するにより、錠剤が開口を通り分配されることを阻止する阻止手順であって、前記分配機構は、容器領域と、分配区域とを有しており、前記分配機構は、前記分配区域に旋回可能に設けられる二重式レバー機構を有しており、前記下部ハウジングの内部は、前記下部ハウジングの前壁から前記レバー機構の上伸張脚部に向かって戻るように伸張する、プッシャーバーを具備しており、前記プッシャーバー、前記上伸張脚部及び第１のフック要素は、前記プッシャーバーが前記上伸張脚部に当接しないで且つ前記上伸張脚部が前記下部ハウジングの前壁に設置される開口から後ろに戻されて配置されていて且つ前記第１のレバー機構の第１のフック要素が前記分配区域に伸張するように、形成されており、更に第２のレバー機構は、前記下部ハウジングの側壁から前記第２のレバー機構の第２のフック要素の第１の側部に向かって伸張する、傾斜壁を具備しており、前記傾斜壁及び前記第２のフック要素の前記第１の側部は、前記傾斜壁が前記第２のフック要素の前記第１の側部に丁度接触し且つ前記レバー機構の前記第２のフック要素の第２の側部が前記分配区域に伸張して第２の錠剤が前記開口を介して分配されることを阻止するように、形成される、阻止手順と、更に
十分な力を前記ハウジングの頂部に適用する適用手順であって、前記ハウジングの頂部が前記分配機構に接触し、前記分配機構が前記下部ハウジングの前記前壁に向かって前進して、前記レバー機構の前記上伸張脚部が前記プッシュバーに接触し、前記上伸張脚部は、前記分配機構が移動している方向と反対の方向に旋回するので、前記第１のレバー機構の前記フック要素は、前記上伸張脚部の反対方向に旋回し、その結果、前記錠剤が前記分配機構の開口を通り通過することを可能にする一方で、前記分配機が前進するのと同時に、前記第２のフック要素の前記第１の側部は前記傾斜壁に連続的に接触して、前記第２のフック要素の前記第１の側部は、内側に動き、前記第２のレバー機構の前記第２のフック要素の前記第２の側部をやはり内側に旋回させるので、第２の錠剤が前記分配区域に移動することを阻止する、適用手順と、
を具備することを特徴とする方法。
【請求項９】
前記下部ハウジングの前記開口は、弾性物質材料を含み、前記弾性物質材料は、リップシールを構成するように使用されており、それにより、前記リップシールは、前記シールが閉じられる時に湿気密閉状態に維持されており、前記リップシールは、錠剤が前記開口を通り通過させる必要のある時間だけ開かれることを特徴とする請求項５又は７に記載の錠剤分配機。
【請求項１０】
前記下部ハウジングと、前記上部ハウジングと、前記分配機構との内のいずれかの少なくとも一部分は、乾燥性エントレインド・プラスチックを具備することを特徴とする請求項５又は７に記載の錠剤分配機。
【請求項１１】
前記下部ハウジングは２ショット式射出成形機において重ね成形されることを特徴とする請求項５又は７に記載の錠剤分配機。
【請求項１２】
前記下部ハウジングは射出成形方法で製作されることを特徴とする請求項５に記載の錠剤分配機。
【請求項１３】
前記錠剤を分配するのに十分な力は、少なくとも２つの独立した動作を適用することを具備することを特徴とする請求項５又は７に記載の錠剤分配機。
【発明の詳細な説明】
【技術分野】
【０００１】
本発明は、２つのレバー機構を有する固体対象物用の分配機（ディスペンサ）に関する。
一実施の形態において、分配機（ディスペンサ）は、キャンディー（菓子）の粒のための分配機として使用可能である。別の実施の形態において、分配機は、例えば、治療用物質を供給する錠剤（タブレット）を分配するために使用可能である。更に別の実施の形態において、分配機は、所望の期間（例えば、分配機の使用寿命、固体対象物安定貯蔵寿命）において、湿気（又は水分）密閉性を有する。
【背景技術】
【０００２】
錠剤（タブレット）分配機（ディスペンサ）は一般的に、錠剤を保持し分配するために、栄養物及びキャンディー（菓子）産業において使用される。これらの分配機は、ペッズ（Ｐｅｚ）（登録商標）キャンディーのためのペッズ（Ｐｅｚ）分配機等の、特定の錠剤のために設計されても良い。従来の錠剤分配機は、使用寿命の期間において湿気密閉性を有さないので、湿気（又は、水分）に敏感な製品のための、それらは、例えば製薬産業等の分野において一般的に使用されない。代わりに、湿気密閉性錠剤の包み（パッケージ）は一般的に、「ブリスター」パック（プラスチック等の気泡状の包装）により提供されてきた。「ブリスターパック」に関して、錠剤は、それを包みから分離するために壊れ易い、バリア（障壁）材料を介して押し出される。
【発明の開示】
【０００３】
本発明は、幾つかの実施の形態において、使用寿命期間に、錠剤の湿気密閉性容器を維持する、錠剤分配機（ディスペンサ）のための多くの実施の形態を目的とする。一つの例において、設計は薬剤用途に適しており、特には、用途として湿気に敏感な錠剤が考えられる用途に適する。
【０００４】
一実施の形態において、本発明は、２つのレバー（てこ）機構を有する錠剤分配用の分配機を目的とする。別の実施の形態において、分配機は、貯蔵寿命期間中及び使用寿命期間中の両者において、湿気（又は水分）密閉性シールを維持する。更に別の実施の形態において、分配機は、例えば、５０から１００個の錠剤等の、多数の錠剤を保持するための容器を提供する。また別の実施の形態において、分配機は、ポリプロピレン（「ＰＰ」）又はポリエチレン（「ＰＥ」）等の実質的に水不透過性材料のプラスチック材料により、部分的に形成される、ハウジングを具備する一方で、ハウジングの別の部分は、エチレンプロピレン・ジエンターポリマー（ＥＰＤＭ）等の実質的に水不透過性材料の弾性物質（ポリマー）材料により形成される。
【０００５】
本発明の目的に関して、１つの実施の形態において、本発明の分配機は、ＵＳＰ６７１に記載のテストプロトコル（実施要領）に従がう「湿気（又は、水分）密閉性」である。１つの実施の形態において、分配機は、１０テスト分配機の内の１つ以下のものが、湿気（水分）透過性において、１日リッター当り100ｍｇを超える場合、湿気密閉性であると考えられる。ＵＳＰ６７１のテストは、シール（密封）された容器及び開かれてその後解放される、容器において実施される。テストは、４から８メッシュのセット量の乾燥剤により構成されており、無水塩化カルシウム（anhydrous calcium chloride）は、先ず110度で１時間乾燥され、その後乾燥機内で冷却される。その後、均一な寸法の１２個の容器が、選択され、各々３０回開閉される。ＵＳＰモノグラフ（単行書）に規定されるように、閉鎖のためのトルクが適用される。乾燥剤がその後、テスト容器のラベルが付けられた１０個の包みに加えられる。これらはその後、２０ｍｌより大きな容器において１３ｍｍの開口の範囲内で充填され、２０ｍｌより小さな容器において、満杯の２／３まで充填される。その後、モノグラフに規定されるトルクが閉鎖のために適用される。２０ｍｌより小さな容器に関して0.1ｍｇに最も近い重量まで、２０ｍｌから200ｍｌの容器に関してｍｇに最も近い重量まで、200ｍｌより大きな容器に関してセンチグラム（ｃｇ）に最も近い重量まで、記録される。容器は、２３度＋−２度の温度における相対湿度が７５％＋−３％の状態において貯蔵される。３６時間＋−１時間の後に、重量が、１日リッター（ｌ）当りのｍｇで計算された水分（又は湿気）浸透率で記録される。
【０００６】
本発明の弾性物質（エラストマ）材料は、力がそれらに作用した場合に、固体対象物が所望の出口位置を通り通過可能であるように、それら（弾性物質材料）を十分に変形可能にするように、十分に変形可能でなければならない。１つの実施の形態において、弾性物質材料は、リップシール、即ち、弾性物質材料に形成された特定の開口を形成するように使用される。リップシールは、シールが閉じられる場合に、湿気密閉性状態を維持し、錠剤が開口を通り通過することが必要な時間だけ開かれる。別の実施の形態において、弾性物質材料は、錠剤を射出するために使用される、トリガー機構を形成するように使用される。
【０００７】
更に別の実施の形態において、本発明は、容器から１回に１つの錠剤を分配するための分配機構を提供することを目的とする。別の実施の形態において、分配機は、錠剤を分配する前に、錠剤を列で並べる、分配機構を具備する。別の実施の形態において、本発明は、分配機から１回に１つの錠剤を分配することにおいて使用されるトリガー（引き金）機構を提供することを目的とする。更に別の実施の形態において、トリガー機構及び錠剤が列で並ぶ、分配機の配置は、弾性物質材料の範囲内に設置されて、湿気密閉性を確保し、弾性物質（エラストマ）に対して外部に力を作用することにより、トリガーを更に作動可能にする。
【０００８】
更に別の実施の形態において、分配機は、ハウジング内部が１つの錠剤の厚みだけの寸法で形成されるような、寸法を有する。別の実施の形態において、分配機は、分配機の使用寿命を通して、錠剤容器内に湿気密閉性シールを維持する。別の実施の形態において、乾燥用エントレンド（entrained：同伴）プラスチック等の乾燥剤が、少なくとも一部分に使用される。
【０００９】
別の実施の形態において、本発明は、個別の固体対象物を分配するための錠剤分配機であって、下部ハウジングと、トリガー機構の少なくとも一部分をカバーする、弾性物質のカバーを有する上部ハウジングと、前記下部ハウジングの少なくとも一部分の弾性物質のカバーと、前記ハウジング内に適合する寸法で形成される、分配機構とを具備する、分配機を開示しており、前記分配機構は、容器領域と、分配区域とを有しており、前記分配機構は、前記分配区域に旋回可能に設けられたレバー機構及びバネ要素を有しており、前記下部ハウジングの内部は、前記下部ハウジングの前壁から前記レバー機構の上伸張脚部に向かって戻るように伸張する、プッシャーバーを具備しており、前記プッシャーバー、前記上伸張脚部及びフック要素は、前記プッシャーバーが前記上伸張脚部に当接しないで且つ前記上伸張脚部が前記下部ハウジングの前壁に設置される開口から後ろへ戻されて配置されていて且つ前記レバー機構のフック要素が、前記分配機構が休止状態の時に、前記分配区域に伸張して、錠剤が前記開口を介して分配されることを阻止するように、形成されるが、しかし同時に、十分な力が前記弾性物質のカバーに適用されると、前記分配機構は、前記下部ハウジングの前記前壁に向かって前進し、前記レバー機構の前記上伸張脚部が前記プッシュバーに接触して、前記上伸張脚部は、前記分配機構が移動している方向と反対の方向において旋回するため、前記レバー機構の前記フック要素は、前記上伸張脚部の反対方向に旋回するので、従って前記錠剤が前記分配機構の開口を通り通過することを妨げる障害を取り除くことを特徴とする。
【００１０】
別の実施の形態において、本発明の開示する上記の錠剤分配機において、リップシールが、前記下部ハウジングの前記開口をカバーしており、前記リップシールは、前記上伸張脚部が前記リップシールのスリットを開いて、錠剤がそこを通り通過することを可能にするように形成されており、前記リップシールは、実質的に湿気密閉性の容器を形成することを特徴とする。
【００１１】
また別の実施の形態において、本発明の開示する上記の錠剤分配機において、前記弾性物質のカバーは、前記上部ハウジングの開口に伸張する、ボタンを具備しており、前記ボタン及び前記開口は、先端と締りばめを形成するので、力が前記弾性物質のカバーから除去されると、前記カバーは、その当初の形状に戻り、前記分配機構を前記ハウジング内のその当初の位置に引き戻すことを特徴とする。
【００１２】
別の実施の形態において、本発明の開示する上記の錠剤分配機において、前記シールは、実質的に湿気密閉性シールを形成するように重ね成形されて、前記ハウジング内への湿気の浸入を防止することを特徴とする。
【００１３】
別の実施の形態において、本発明は、個別の固体対象物を分配するための錠剤分配機であって、下部ハウジングと、トリガー機構を有する上部ハウジングと、前記ハウジング内に適合する寸法で形成される、分配機構とを具備する、分配機を開示しており、前記分配機構は、容器領域と、分配区域とを有しており、前記分配機構は、前記分配区域に旋回可能に設けられたレバー機構及びバネ要素を有しており、前記下部ハウジングの内部は、前記下部ハウジングの前壁から前記レバー機構の上伸張脚部に向かって戻るように伸張する、プッシャーバーを具備しており、前記プッシャーバー、前記上伸張脚部及びフック要素は、前記プッシャーバーが前記上伸張脚部に当接しないで且つ前記上伸張脚部が前記下部ハウジングの前壁に設置される開口から後ろへ戻されて配置されていて且つ前記レバー機構のフック要素が、前記分配機構が休止状態の時に、前記分配区域に伸張して、錠剤が前記開口を介して分配されることを阻止するように、形成されるが、しかし同時に、十分な力が前記トリガー機構に適用されると、前記分配機構は、前記下部ハウジングの前記前壁に向かって前進し、前記レバー機構の前記上伸張脚部が前記プッシュバーに接触して、前記上伸張脚部は、前記分配機構が移動している方向と反対の方向において旋回するため、前記レバー機構の前記フック要素は、前記上伸張脚部の反対方向に旋回するので、従って前記錠剤が前記分配機構の開口を通り通過することを妨げる障害を取り除くことを特徴とする。
【００１４】
別の実施の形態において、本発明の開示する、個別の固体対象物を分配機から分配するための方法は、分配機構が休止の時に、分配機構を使用するにより、錠剤が開口を通り分配されることを阻止する阻止手順であって、前記分配機構は、容器領域と、分配区域とを有しており、前記分配機構は、前記分配区域に旋回可能に設けられるレバー機構を有しており、前記下部ハウジングの内部は、前記下部ハウジングの前壁から前記レバー機構の上伸張脚部に向かって戻るように伸張する、プッシャーバーを具備しており、前記プッシャーバー、前記上伸張脚部及びフック要素は、前記プッシャーバーが前記上伸張脚部に当接しないで且つ前記上伸張脚部が前記下部ハウジングの前壁に設置される開口から後ろへ戻されて配置されていて且つ前記レバー機構のフック要素が前記分配区域に伸張するように、形成される、阻止手順と更に、十分な力をトリガー機構に適用する適用手順であって、前記トリガー機構が前記分配機構に接触し、前記分配機構が前記下部ハウジングの前記前壁に向かって前進して、前記レバー機構の前記上伸張脚部が前記プッシュバーに接触し、前記上伸張脚部は、前記分配機構が移動している方向と反対の方向に旋回するため、前記レバー機構の前記フック要素は、前記上伸張脚部の反対方向に旋回し、その結果、前記錠剤が前記分配機構の開口を通り通過することを可能にする、適用手順とを具備することを特徴とする。
【００１５】
別の実施の形態において、本発明は、個別の固体対象物を分配するための錠剤分配機であって、ハウジングと、前記ハウジング内に適合する寸法で形成される、分配機構とを具備する、分配機を開示しており、前記分配機構は、容器領域と、分配区域とを有しており、前記分配機構は、前記分配区域に旋回可能に設けられた二重式レバー機構及びバネ要素を有しており、前記下部ハウジングの内部は、前記ハウジングの前壁から前記二重式レバー機構の第１のレバー機構の上伸張脚部に向かって戻るように伸張する、プッシャーバーを具備しており、前記プッシャーバー、前記上伸張脚部及び第１のフック要素は、前記プッシャーバーが前記上伸張脚部に当接しないで且つ前記上伸張脚部が前記ハウジングの前壁に設置される開口から後へ戻されて配置されていて且つ前記第１のレバー機構の第１のフック要素が前記分配区域に伸張して錠剤が前記開口を介して分配されることを阻止するように、形成されており、更に第２のレバー機構は、前記ハウジングの側壁から前記第２のレバー機構の第２のフック要素の第１の側部に向かって伸張する、傾斜壁を具備しており、前記傾斜壁及び前記第２のフック要素の前記第１の側部は、前記傾斜壁が前記第２のフック要素の前記第１の側部に丁度接触していて且つ前記レバー機構の前記第２のフック要素の第２の側部が、前記分配機構が休止状態の時に、前記分配区域に伸張して、第２の錠剤が前記開口を介して分配されることを阻止するように、形成されるが、しかし同時に、十分な力が前記ハウジングの頂部に適用されると、前記分配機構は、前記ハウジングの前記前壁に向かって前進して、前記二重式レバー機構の前記上伸張脚部は、前記プッシュバーに接触して、前記上伸張脚部は、前記分配機構が移動している方向と反対の方向に旋回するため、前記第１のレバー機構のフック要素は、前記上伸張脚部と反対の方向で旋回するので、前記錠剤が前記分配機構の開口を通り通過することを妨げる障害を取り除いており、その一方で、前記分配機が前進するのと同時に、前記第２のフック要素の前記第１の側部は前記傾斜壁に連続的に接触して、前記第２のフック要素の前記第１の側部は、内側に動き、前記第２のレバー機構の前記第２のフック要素の前記第２の側部をやはり内側に旋回させるので、第２の錠剤が前記分配区域に移動することを阻止することを特徴とする。
【００１６】
別の実施の形態において、本発明の開示する、個別の固体対象物を分配機から分配するための方法は、分配機構が休止の時に、分配機構を使用するにより、錠剤が開口を通り分配されることを阻止する阻止手順であって、前記分配機構は、容器領域と、分配区域とを有しており、前記分配機構は、前記分配区域に旋回可能に設けられる二重式レバー機構を有しており、前記下部ハウジングの内部は、前記下部ハウジングの前壁から前記レバー機構の上伸張脚部に向かって戻るように伸張する、プッシャーバーを具備しており、前記プッシャーバー、前記上伸張脚部及び第１のフック要素は、前記プッシャーバーが前記上伸張脚部に当接しないで且つ前記上伸張脚部が前記下部ハウジングの前壁に設置される開口から後ろに戻されて配置されていて且つ前記第１のレバー機構の第１のフック要素が前記分配区域に伸張するように、形成されており、更に第２のレバー機構は、前記下部ハウジングの側壁から前記第２のレバー機構の第２のフック要素の第１の側部に向かって伸張する、傾斜壁を具備しており、前記傾斜壁及び前記第２のフック要素の前記第１の側部は、前記傾斜壁が前記第２のフック要素の前記第１の側部に丁度接触し且つ前記レバー機構の前記第２のフック要素の第２の側部が前記分配区域に伸張して第２の錠剤が前記開口を介して分配されることを阻止するように、形成される、阻止手順と、更に十分な力を前記ハウジングの頂部に適用する適用手順であって、前記ハウジングの頂部が前記分配機構に接触し、前記分配機構が前記下部ハウジングの前記前壁に向かって前進して、前記レバー機構の前記上伸張脚部が前記プッシュバーに接触し、前記上伸張脚部は、前記分配機構が移動している方向と反対の方向に旋回するので、前記第１のレバー機構の前記フック要素は、前記上伸張脚部の反対方向に旋回し、その結果、前記錠剤が前記分配機構の開口を通り通過することを可能にする一方で、前記分配機が前進するのと同時に、前記第２のフック要素の前記第１の側部は前記傾斜壁に連続的に接触して、前記第２のフック要素の前記第１の側部は、内側に動き、前記第２のレバー機構の前記第２のフック要素の前記第２の側部をやはり内側に旋回させるので、第２の錠剤が前記分配区域に移動することを阻止する、適用手順とを具備することを特徴とする。
【００１７】
別の実施の形態において、本発明の開示する上記錠剤分配機において、前記下部ハウジングの前記開口は、弾性物質材料を含み、前記弾性物質材料は、リップシールを構成するように使用されており、それにより、前記リップシールは、前記シールが閉じられる時に湿気密閉状態に維持されており、前記リップシールは、錠剤が前記開口を通り通過させる必要のある時間だけ開かれることを特徴とする。
【００１８】
別の実施の形態において、本発明の開示する上記の錠剤分配機において、前記下部ハウジングと、前記上部ハウジングと、前記分配機構との内のいずれかの少なくとも一部分は、乾燥性エントレインド（entrained）・プラスチックを具備することを特徴とする。
【００１９】
別の実施の形態において、本発明の開示する上記の錠剤分配機において、前記下部ハウジングは２ショット式（two-shot）射出成形機において重ね成形されることを特徴とする。
【００２０】
別の実施の形態において、本発明の開示する上記の錠剤分配機において、前記下部ハウジングは射出成形方法で製作されることを特徴とする。
【００２１】
別の実施の形態において、本発明の開示する上記の錠剤分配機において、前記錠剤を分配するのに十分な力は、少なくとも２つの独立した動作を適用することを具備することを特徴とする。
【発明を実施するための最良の形態】
【００２２】
図１は、本発明に従がい製作された分配機（ディスペンサ）の第１の実施の形態を図解する。一般的に分配機（ディスペンサ）１０は、下部ハウジング１２と、上部ハウジング１４と、弾性物質（エラストマ）製カバー１６と、下部ハウジングと上部ハウジングとを連結するシール１８と、下部ハウジングの部分をカバーする、弾性物質（エラストマ）のカバー２０とを具備する。それを通り錠剤が分配される、リップシール２２（図２で最もよく示される）は、弾性物質（エラストマ）内に具備される。
【００２３】
本発明のために、「リップシール」は、細いスリット（細穴）状の開口において収束する、２つのリップ側部により形成される。一つの例において、「リップシール」は、細いスリット（細穴）状の開口において収束する、２つのリップ側部を成形することにより形成される。別の例において、「リップシール」は、膜を成形しその後膜においてスリット（細穴）を切断形成することにより形成される。リップシールは、十分な噴射力が物質に作用すると、物質がリップシールを通り通過するのに必要な十分な時間の間リップシールが開くように設計される。
【００２４】
１つの実施の形態において、分配機のハウジング構成要素は、少しの曲線を有する長い側部と、直角であるか又は丸い形状の角部により側壁に結合された端壁３１，３１’とを具備しても良い。ハウジング構成要素は、それらの内部において中空であり、錠剤が貯蔵されるボート（舟形容器）５０（下記で説明される）を収容する。別の実施の形態において、ハウジング構成要素の内部幅寸法は、ボートに比べて少しだけより大きくても良く、ボートは順に分配機内に収容される単一の錠剤に比べて少しだけより大きい幅を有する。この配置は、単一厚みの配置における錠剤の貯蔵を可能にする。
【００２５】
ハウジング構成要素は、射出成形プラスチック（例えば、クラリファイド（clarified）ポリプロピレン又はポリエチレン）により形成される。１つの実施の形態において、上部ハウジングの外側表面は、十分に水不透過性プラスチック（例えば、ＰＰ又はＰＥ）により形成されても良く、内部表面の少なくとも一部分は、本明細書において全てが文献として組み込まれる米国特許第5,911,937号、第6,214,255号、第6,130,263号、第6,080,350号、第6,174,952号、第6,124,006号、及び第6,221,446号において開示される乾燥性エントレインド（entrained：同伴）プラスチック形成物等の乾燥性エントレインド（entrained）プラスチックにより重ね成形（over-molded）されても良い。
【００２６】
上部ハウジング１４は、ハウジングを構成する比較的硬質のプラスチック材料が比較的より軟質の弾性物質（エラストマ）のカバー１６により置き換えられる、Ｖ形状の切り欠き（カット）１７を、その外側端部において具備する。その相対的な軟質性により、弾性物質のカバー１６は、十分な力がカバーに作用すると変形する。
【００２７】
図３と４は、ハウジング内に適合する寸法のボート５０の１つの実施の形態を図解する。ボート５０は、ハウジングの内部に比べて少しより小さい幅の容器部５２を具備する。容器部は、隣合って並ぶ１つの錠剤の厚みの配置で配列される複数の錠剤を保持する。容器部の適切な寸法は、錠剤が１つの錠剤の厚みの配置に保持されることを確保する。ボートは、船首部分５４と、船尾部分５６とを有する。後壁５６ａは、ボートの船尾部分に設置される。
【００２８】
船首部分５４は、第１の先細りした側壁５８と、船の船首６０とを有する。船の船首は、１つの錠剤だけを保持する寸法を有する。船の船首は、容器から離れて伸張する第１の側壁６２と、第１の側壁から離れて伸張する第２の側壁６３とにより区画される。図３において第２の側壁は、斜角において第１の側壁から離れて伸張するように示される。
【００２９】
１つの特定の実施の形態において、ボート５０は、錠剤が船首から外へ通過可能にするように、側部６４に沿って開くか又は船の船首の少なくとも一部に関して開く。
【００３０】
１つの実施の形態において、分配機は下記のように組み立てられる。錠剤は、ボートの容器内に充填される。ボートは、ボートの船尾領域を上部ハウジング内に設置することにより、ハウジング内に充填される。下部ハウジングは、上部ハウジングに対して連結されシール（密封）される。この配置により、船の船首は、弾性物質のカバー２０のリップシール２２に隣接するハウジング内に配置される。
【００３１】
錠剤を分配するために、使用者は、比較的柔らかい弾性物質の材料を変形させるのに十分な大きさで、上部ハウジングの切断された領域１７において弾性物質のカバー１６に力を適用する。力が、ボートの船尾側部６６に伝達されて、ボート５０を下部ハウジングに向かって動かす。船の船首６０は、リップシール２２のスリット（細穴）２３を通り通過して、錠剤は船の船首から分配される。
【００３２】
図５及び５Ａに示される別の実施の形態において、弾性物質のカバー１６は、ボート５０の船尾側部６６において開口６７に伸張する、ボタン１７を具備する。ボタン１７と開口６７とは、船尾側部６６の壁から伸張する、先端（プロング）６８との締りばめを形成するので、力が弾性物質のカバーから取り除かれると、カバーは、その所期形状に戻り、ボートをハウジング内のその当初の位置に引き戻す。
【００３３】
やはり別の実施の形態において、船の船首は、図６に示すように、その下側においてスロット（長穴）７０を具備する。この配置において、錠剤は、船の船首がスロットから外へ通過すると、スロットを介して落下する。
【００３４】
図７から９は、本発明の分配機１００の更に別の実施の形態を示す。図７は、本発明の構成要素を示す分解図である。一般的に分配機１００は、下部ハウジング１０２と、上部ハウジング１０４と、トリガー（引き金）機構をカバーする弾性物質（エラストマ）のカバー１０６と、下部ハウジングと上部ハウジングとを連結するシール１０８と、図９で最も良く分かるように、下部ハウジングの部分をカバーする弾性物質（エラストマ）のカバー１１０とを具備する。シール１０８は、ＬＤＰＥ又は別の適切な材料により形成されても良い。シール１０８は、容器のための実質的に湿気密閉性（タイト）のシール構成とキャップアセンブリとにより構成される、任意のタイプのシールであり得る。これとは別に、弾性物質材料は、この開示で別に検討された原理に従いシールされるべき領域上に重ね成形可能である。
【００３５】
下部ハウジング１０２と、上部ハウジング１０４と、トリガー機構をカバーする弾性物質のカバー１０６と、下部ハウジングと上部ハウジングとを連結するシール１０８と、下部ハウジングの部分をカバーする弾性物質（エラストマ）のカバー１１０とが、個別に組立可能であるか、又は１以上のこれらの部分は、共に成形可能/固定可能で、更にその後別の部分と組立可能である（例えば、下部及び上部ハウジングは、一つの部分として成形可能である）。
【００３６】
別の実施の形態において、錠剤がそれを介して分配される、スリット（細穴）２３’を有するリップシール２２’は、弾性物質（エラストマ）において具備される。リップシールは、図２と同じ形態を有しても良い。弾性物質のカバー１０６及びリップシール２２’は、ＥＰＤＭ（例えば、商品名でサントプレン（Santoprene）で商業的に入手可能である）等の弾性物質材料により形成されても良い。下部ハウジング１０２は、２ショット式（two-shot）射出成形機で重ね成形されるか、又は２つの射出成形工程（プロセス）（即ち、プラスチックをモールド１で射出成形し、その後モールド２で弾性物質材料を重ね成形する）で形成されても良い。図示される実施の形態において、弾性物質材料は、エジェクタ（射出機）が作動する端部及び側壁をカバーしており（即ち、弾性物質カバー１０６）、対向する端部において、スリット２２が設置される。弾性物質材料（又は適切で匹敵する材料）は、使用者が十分な力をエジェクタに作用させてそれを作動させることが出来、それにより錠剤がその後スリットを介して移動可能で、射出可能であるように、十分に変形可能である。
【００３７】
ハウジングが組み立てられると、シールは、重ね成形されて、実質的に湿気密閉性シールを形成し、湿気（又は水分）がハウジング内に浸入することを防止する。
【００３８】
やはり別の実施の形態において、分配機装置はまた、ハウジング１００に適合する寸法である分配機構１２０を具備しており、錠剤の分配作業中に側部から側部へ移動し、更に休止位置へ戻る。実践的事項として、分配機構１２０は、錠剤が満杯状態でハウジング内に充填され、ハウジングは、組み立てられ、その後ハウジングは、上記のようにシール（密封）される。
【００３９】
図８は、分配機構１２０及びその構造的特質の別の図を示す。分配機構１２０は、プラスチック材料により形成されても良く、従来の成形技術に従がい成形されても良い。分配機構１２０は、側壁１２５と頂壁１２６と底壁１２７と後壁１２８とにより全体的に区画される、分配区域１２４と、容器領域１２２とを有する。後壁は開口１２９を具備する。ボタン１７０は、弾性物質のカバー１０６の内部壁に設けられ、開口１２９内に挿入されて締りばめを形成するので、力が弾性物質のカバーから取り除かれると、カバーはその当初の形状に戻り、ボートをハウジング内の当初のその位置に引き戻す。この配置は、図５と５Ａに示されるように形成可能である。
【００４０】
一つの特定の実施の形態において、分配機構１２０の前端部は、比較的フレキシブルなバネ要素１３０を有する。図示されるように、バネ要素は、右と左に交互に伸張する、スイッチバック（ジグザグ状）形態を有する伸張部１３１を有しており、クロスバー（横棒）１３２で終結する。伸張部１３１のスイッチバック形態は、バネ要素が圧縮してエネルギを貯蔵可能にする、所望の程度のフレキシビリティ（柔軟性）を生じ、クロスバー１３２は、比較的大きな表面積を横切る圧縮の下で支持される荷重を配分するが、その一方で、別の設計がこの用途に適することが直ちに明らかであるはずである。
【００４１】
更に別の実施の形態において、分配機構１２０は、前方に伸張する分配区域１２４を更に具備する。バンパー（緩衝器）１３６は、分配区域１２４の前にある。図８で最も良く分かるように、バンパーは、それらの前に比較的狭い先端１３７を有し、比較的より幅広いベース（基部）１３８へ拡がる。錠剤を分配するための開口１４０は、バンパー間の空間に設けられる。開口は、錠剤が付近の構造からの実質的な干渉に遭遇することなしで開口を介して通過可能であるような、寸法で形成される。
【００４２】
１つの例において、レバー（てこ）機構１４２は、レバー機構１４２を上部１４３に連結する、旋回要素１４４において且つ分配区域１２４の上部１４３において、旋回可能に設けられる。レバー機構１４２は、レバー機構１４２が上部１４３に旋回可能に設置される、地点の付近から上方向に伸張する、上伸張脚部１４５を有する。上伸張脚部１４５は、レバー機構１４２の水平部材１４６に接続する。下方向に依存するフック要素１４８は、レバー機構１４２の水平部材１４６から下方向に伸張する。フック要素１４８は、錠剤が開口１４０付近に位置する、空間に下に伸張し、その位置にある時に、錠剤が分配されることを阻止する。
【００４３】
図９は、代表的な錠剤が分配区域１２４にあるように示される状態で、ハウジング１００内に設置される、分配機構１２０を示す。下部ハウジング１０２の内部は、下部ハウジング１０２の前壁１０３からレバー機構１４２の上伸張脚部１４５に向かって戻るように伸張する、プッシャーバー１４９を具備する。分配機構１２０が休止状態にあると、プッシャーバー１４９は上伸張脚部１４５に当接せず、更にバンパー１３６は、下部ハウジング１０２の前壁１０３に設けられるリップシール２２’から後へ戻されて配置される。また、休止中に、フック要素１４８は、分配区域に伸張し、錠剤が開口１４０を介して分配されることを阻止する。
【００４４】
例えば、人が、ハウジングの後部に設けられた弾性物質のカバー１０６に力を作用させる時に、人は、錠剤の分配を実施させる以下の事項を行う動作を開始する。十分な力がカバー１０６から分配機構１２０の後壁１２８に伝達されると、分配機構は、下部ハウジング１０２の前壁１０３に向かって前に動く。ある距離移動した後に、レバー機構１４２の上伸張脚部１４５は、下部ハウジング１０２の前壁１０３から内側に伸張する、プッシャーバー１４９に接触する。レバー機構が旋回可能に設置されるので、上伸張脚部１４５は、十分な力がプッシャーバー１４９から上伸張脚部１４５に伝達される時に、分配機構が移動する方向に反対の方向で旋回する。順に、これはフック要素１４８を持ち上げ、錠剤が分配機構の開口を介して通過することを妨げる、障害を取り除く。
【００４５】
分配機構は、バンパー１３６がリップシール２２’の内側に接触する状態で、前進し続ける。バンパーは、リップシール２２’のスリット２３’を開き、それを通り通過して、錠剤は開口を介して分配される。錠剤が分配される時に、バネ要素１３０のクロスバー１３２は、下部ハウジング１０２の前壁１０３に当接する。バネ要素は圧縮される。人が、錠剤を分配して、ハウジングの後端部においてカバー１０６へ作用する力を解放すると、バネ要素１３０は、バネ要素が貯蔵してきたエネルギを解放し、分配機構を休止位置へ押し戻す。また、力が弾性物質のカバー１０６から解放されると、それ（カバー）は、その当初の位置へ戻る。ボタン１７０が、弾性物質のカバー１０６の内側に具備されるので、それにより、ボタン１７０は、ボタン１７０と分配機構の後壁の開口１２９との間における締りばめにより、分配機構において戻り力を発揮する。
【００４６】
図１０Ａから１０Ｃ及び図１１から１３は、別の例であり、代表的な錠剤が分配区域にあるように示される状態で、ハウジング内に設置される分配機構を示す。下部ハウジングの内部は、下部ハウジング１０２の前壁１０３からレバー機構の上伸張脚部１４５／１４６に向かって戻るように（後ろへ）伸張する、プッシャーバー１４９を具備する。分配機構が休止状態にある場合に、プッシャーバー１４９は、上伸張脚部１４５／１４６に当接せず、伸張脚部は、下部ハウジング１０２の前壁１０３に設置されるリップシール２２’から後に戻されて配置される。また、休止中に、レバー機構のフック要素１４８は、分配区域に伸張し、錠剤が開口１４０から分配されることを阻止する。
【００４７】
例えば、人が、ハウジングの後部に設置される弾性物質のカバー１０６に力を作用させると、人は、錠剤の分配を引き起こす、以下の事象を実施する動作を開始する。十分な力が、カバー１０６から分配機構１２０の後壁１２８に伝達されると、分配機構は、下部ハウジング１０２の前壁１０３に向かって前進する。ある距離移動した後に、レバー機構の上伸張脚部１４５／１４７は、下部ハウジング１０２の前壁１０３から内側に伸張する、プッシャーバー１４９に接触する。レバー機構が旋回可能に設置されるので、上伸張脚部１４５／１４６は、十分な力がプッシャーバー１４９から上伸張脚部１４５／１４６に伝達される場合に、分配機構が移動する方向と反対の方向で旋回する。順に、これは、上伸張脚部１４５／１４６の反対方向で、レバー機構のフック要素１４８を旋回させ、錠剤が分配機構に開口を介して通過することを妨げる障害を取り除く。
【００４８】
分配機構は、前進し続ける。１つの特定の実施の形態において、上伸張脚部１４５／１４６は、リップシール２２’のスリット２３’を開き、そこを通り通過し、更に錠剤が開口を介して分配される。錠剤が分配される時に、バネ要素１３０のクロスバー１３２は、下部ハウジング１０２の前壁１０３に当接する。バネ要素は圧縮される。人が錠剤を分配して、ハウジングの後端部においてカバー１０６に作用する力を解放する場合に、バネ要素１３０は、バネ要素が貯蔵したエネルギを解放して、分配機構を休止位置に押し戻す。また、力が弾性物質のカバー１０６から解放されると、それ（カバー１０６）はその当初に位置に戻る。ボタン１７０は、弾性物質のカバー１０６の内側に具備されるので、それにより、ボタン１７０は、ボタン１７０と分配機構の後壁の開口１２９との間における締りばめにより、分配機構に戻す力を発揮する。
【００４９】
一つの特定の実施の形態において、リップシールを具備する分配機は、実質的に湿気密閉性の容器を形成する。結局は、本発明は図面に示される実施の形態に限定されない。
【００５０】
図１４Ａから１４Ｊは、別の例を図示しており、代表的な錠剤が分配区域にあるように示された状態で、ハウジング内に設置された分配機構を示す。特には図１４Ａは、完全な分配機構を示す断面側面図を示す。分配機構は、ハウジング内に適合する寸法で形成され、分配機構は、容器領域と、分配区域２２４とを有し、分配機構は、分配区域に旋回可能に設置された二重式（デュアル）レバー機構を有し、第１のレバー機構（２４５／２４８）は、下部ハウジングの前壁から第１のレバー機構の上伸張脚部２４５に向かって戻るように（後ろに）伸張する、プッシャーバー２４９を具備する。プッシャーバー２４９、上伸張脚部２４５及び第１のフック要素２４８は、プッシャーバー２４９が上伸張脚部２４５に当接しないように構成されており、伸張脚部２４５は、下部ハウジングの前壁に設置された開口から後ろに戻されて配置されており、第１のレバー機構の第１のフック要素２４８は、分配機構が休止状態にある時に、分配区域２２４に伸張して、錠剤が開口を介して分配されることを阻止する。また、休止中に、第２のレバー機構（２７０／２７１）は、下部ハウジングの側壁から第２のレバー機構の第２のフック要素の第１の側部２７１に向かって伸張する、傾斜壁２８０を具備しており、第２のフック要素の第１の側部２７１及び傾斜壁は、傾斜壁２８０が第２のフック要素の第１の側部２７１に丁度接触するように形成されており、レバー機構の第２のフック要素の第２の側部２７０は、分配区域２２４に伸張して、第２の錠剤が開口を介して分配されることを阻止する。十分な力が作用すると、分配機構は、下部ハウジングの前壁に向かって前進して、第１のレバー機構の上伸張脚部２４５は、プッシャーバー２４９に接触し、上伸張脚部２４５は、分配機構が移動している方向と反対の方向で旋回するため、第１のレバー機構のフック要素２４８は、上伸張脚部２４５と反対方向で旋回するので、従って錠剤が分配機構の開口を介して通過することを妨げる障害を取り除く。一方、分配機が前進しているのと同時に、第２のフック要素の第１の側部２７１は、傾斜壁２８０に連続的に接触して、第２のフック要素の第１の側部２７１は、内側に移動し、それにより第２のレバー機構の第２のフック要素の第２の側部２７０を、やはり内側に旋回させるので、従って第２の錠剤が分配区域に移動することを阻止する。
【００５１】
１つの特定の実施の形態において、上伸張脚部２４８は、リップシールのスリットを開き、それを通り通過し、錠剤は開口を介して分配される。錠剤が分配される時に、バネ要素２３０は下部ハウジングの前壁に当接する。バネ要素は圧縮される。人が、錠剤を分配して、ハウジングの後端部においてカバー１０６に作用する力を解放すると、バネ要素２３０は、バネ要素が貯蔵したエネルギを解放し、分配機構を休止位置へ押し戻す。
【図面の簡単な説明】
【００５２】
【図１】図１は、本発明の分配機の第１の実施の形態の立体図である。
【図２】図２は、図１に示す分配機の別の側部の側面図である。
【図３】図３は、図１に示す分配機に使用されたボートの横断面図である。
【図４】図４は、図３に示すボートの頂部平面図である。
【図５】図５は、本発明において使用しても良い形態の立体図である。
【図５Ａ】図５Ａは、図５に示すボタンの側面図である。
【図６】図６は、図１に示す分配機に使用されても良い、ボートの別の実施の形態の横断面図である。
【図７】図７は、本発明の別の実施の形態を示す分解図である。
【図８】図８は、図７の実施の形態の構成を示す立体図である。
【図９】図９は、図７の実施の形態の横断面図であり、休止状態にあって、錠剤を分配するために作動可能な組立状態の分配機を示す。
【図１０Ａ】図１０Ａは、更に別の実施の形態の横断面図であり、休止状態にあって、錠剤を分配するために作動可能な分配機を示す。
【図１０Ｂ】図１０Ｂは、更に別の実施の形態の別の側の横断面図であり、休止状態にあって、錠剤を分配するために作動可能な分配機を示す。
【図１０Ｃ】図１０Ｃは、更に別の実施の形態の更に別の側の横断面図であり、休止状態にあって、錠剤を分配するために作動可能な分配機を示す。
【図１１】図１１は、図１０Ａから１０Ｃの実施の形態の構成を示す立体図である。
【図１２】図１２は、図１０Ａから１０Ｃの実施の形態の構成を示す別の向きから見た立体図である。
【図１３】図１３は、図１０Ａから１０Ｃの実施の形態の構成を示す更に別の向きから見た立体図である。
【図１４Ａ】図１４Ａは、別の実施の形態の横断面図であり、休止状態にあって、錠剤を分配するために作動可能な分配機を示す。
【図１４Ｂ】図１４Ｂは、別の実施の形態の横断面図であり、休止状態にあって、錠剤を分配するために作動可能な分配機を示す。
【図１４Ｃ】図１４Ｃは、別の実施の形態の横断面図であり、休止状態にあって、錠剤を分配するために作動可能な分配機を示す。
【図１４Ｄ】図１４Ｄは、別の実施の形態の横断面図であり、休止状態にあって、錠剤を分配するために作動可能な分配機を示す。
【図１４Ｅ】図１４Ｅは、別の実施の形態の横断面図であり、休止状態にあって、錠剤を分配するために作動可能な分配機を示す。
【図１４Ｆ】図１４Ｆは、別の実施の形態の横断面図であり、休止状態にあって、錠剤を分配するために作動可能な分配機を示す。
【図１４Ｇ】図１４Ｇは、別の実施の形態の横断面図であり、休止状態にあって、錠剤を分配するために作動可能な分配機を示す。
【図１４Ｈ】図１４Ｈは、別の実施の形態の横断面図であり、休止状態にあって、錠剤を分配するために作動可能な分配機を示す。
【図１４Ｉ】図１４Ｉは、別の実施の形態の横断面図であり、休止状態にあって、錠剤を分配するために作動可能な分配機を示す。
【図１４Ｊ】図１４Ｊは、別の実施の形態の横断面図であり、休止状態にあって、錠剤を分配するために作動可能な分配機を示す。
【図１５Ａ】図１５Ａは、休止状態にある分配機を示す、別の実施の形態の側横断面図である。
【図１５Ｂ】図１５Ｂは、休止状態にある分配機を示す、別の実施の形態の別の側横断面図である。
【図１５Ｃ】図１５Ｃは、休止状態にある分配機を示す、別の実施の形態の図１５Ａの点Ａにおける頂面横断面図である。
【図１５Ｄ】図１５Ｄは、休止状態にある分配機を示す、別の実施の形態の図１５Ａの点Ｃにおける底面横断面図である。
【図１５Ｅ】図１５Ｅは、休止状態にある分配機を示す、別の実施の形態の図１５Ａの点Ｄにおける底面横断面図である。
【図１５Ｆ】図１５Ｆは、休止状態にある分配機を示す、別の実施の形態の図１５Ａの点Ｂにおける底面横断面図である。
【図１６Ａ】図１６Ａは、休止状態にある分配機を示す、図１５（Ａ〜Ｆ）の実施の形態の横断面図である。
【図１６Ｂ】図１６Ｂは、錠剤を分配するために作動可能な分配機を示す、図１５（Ａ〜Ｆ）の実施の形態の横断面図である。
【図１６Ｃ】図１６Ｃは、錠剤を分配している分配機を示す、図１５（Ａ〜Ｆ）の実施の形態の横断面図である。
【図１６Ｄ】図１６Ｄは、図１６Ａに対応する分配部分の拡大図である。
【図１６Ｅ】図１６Ｅは、図１６Ｂに対応する分配部分の拡大図である。
【図１６Ｆ】図１６Ｆは、図１６Ｃに対応する分配部分の拡大図である。
【図１】
2007511425.tif 000003
【図２】
2007511425.tif 000004
【図３】
2007511425.tif 000005
【図４】
2007511425.tif 000006
【図５】
2007511425.tif 000007
【図５Ａ】
2007511425.tif 000008
【図６】
2007511425.tif 000009
【図７】
2007511425.tif 000010
【図８】
2007511425.tif 000011
【図９】
2007511425.tif 000012
【図１０Ａ】
2007511425.tif 000013
【図１０Ｂ】
2007511425.tif 000014
【図１０Ｃ】
2007511425.tif 000015
【図１１】
2007511425.tif 000016
【図１２】
2007511425.tif 000017
【図１３】
2007511425.tif 000018
【図１４Ａ】
2007511425.tif 000019
【図１４Ｂ】
2007511425.tif 000020
【図１４Ｃ】
2007511425.tif 000021
【図１４Ｄ】
2007511425.tif 000022
【図１４Ｅ】
2007511425.tif 000023
【図１４Ｆ】
2007511425.tif 000024
【図１４Ｇ】
2007511425.tif 000025
【図１４Ｈ】
2007511425.tif 000026
【図１４Ｉ】
2007511425.tif 000027
【図１４Ｊ】
2007511425.tif 000028
【図１５Ａ】
2007511425.tif 000029
【図１５Ｂ】
2007511425.tif 000030
【図１５Ｃ】
2007511425.tif 000031
【図１５Ｄ】
2007511425.tif 000032
【図１５Ｅ】
2007511425.tif 000033
【図１５Ｆ】
2007511425.tif 000034
【図１６Ａ】
2007511425.tif 000035
【図１６Ｂ】
2007511425.tif 000036
【図１６Ｃ】
2007511425.tif 000037
【図１６Ｄ】
2007511425.tif 000038
【図１６Ｅ】
2007511425.tif 000039
【図１６Ｆ】
2007511425.tif 000040
【国際調査報告】
2007511425.tif 000041